(57)【要約】【課題】内部の様子を離れた位置からでも視認することのできるゴミ箱を提供すること。【解決手段】底面部と、前記底面部から立ち上げられた背面部と、前記底面部から立ち上げられ、上下方向に延びる一辺が前記背面部に接続され、上下方向に延びる他の一辺が自由端辺とされている一方の側面部および他方の側面部と、を少なくとも備え、前記一方の側面部の自由端辺と、前記他方の側面部の自由端辺との間に、上下方向の開口部が形成されたゴミ箱とする。【選択図】図１２
2018104122.tif 000002
【特許請求の範囲】
【請求項１】
底面部と、
前記底面部から立ち上げられた背面部と、
前記底面部から立ち上げられ、上下方向に延びる一辺が前記背面部に接続され、上下方向に延びる他の一辺が自由端辺とされている一方の側面部および他方の側面部と、を少なくとも備え、
前記一方の側面部の自由端辺と、前記他方の側面部の自由端辺との間に、上下方向の開口部が形成されていることを特徴とするゴミ箱。
【請求項２】
前記一方の側面部に一方の延出部が具備され、前記他方の側面部に他方の延出部が具備され、かつ、前記一方の延出部に一方の延出部スリットが形成され、前記他方の延出部に他方の延出部スリットが形成され、
前記一方の延出部スリットと、前記他方の延出部スリットとが、互いに差し込まれることにより、前記一方の側面部と前記他方の側面部との組み立て位置が固定されていることを特徴とする請求項１に記載のゴミ箱。
【請求項３】
前記一方の側面部に一方の延出部が具備され、前記他方の側面部に他方の延出部が具備され、かつ、前記底面部に、一方の底面部スリットと他方の底面部スリットが形成され、
前記一方の延出部が前記一方の底面部スリットに差し込まれるとともに、前記他方の延出部が、前記他方の底面部スリットに差し込まれることにより、前記一方の側面部と前記他方の側面部との組み立て位置が固定されていることを特徴とする請求項１に記載のゴミ箱。
【請求項４】
前記一方の側面部に一方の延出部が具備され、前記他方の側面部に他方の延出部が具備され、かつ、前記一方の延出部に一方の延出部スリットが形成され、前記他方の延出部に他方の延出部スリットが形成され、
さらに、前記底面部に、一方の底面部スリットと他方の底面部スリットが形成され、
前記一方の延出部スリットが前記一方の底面部スリットに差し込まれて前記一方の側面部の組み立て位置が固定されているとともに、前記他方の延出部スリットが前記他方の底面部スリットに差し込まれて前記他方の側面部の組み立て位置が固定されていることを特徴とする請求項１に記載のゴミ箱。
【請求項５】
前記ゴミ箱が、段ボール箱から構成されていることを特徴とする請求項１〜４のいずれかに記載のゴミ箱。
【発明の詳細な説明】
【技術分野】
【０００１】
本発明は、内部の収容状況、ゴミの種類などを外部から視認することのできるゴミ箱に関する。
【背景技術】
【０００２】
例えば、一般家庭を始めとし、多くの場所でゴミ箱が多用されている。これらのゴミ箱は真上付近からは内部の様子を視認することができるものの、離れた位置からであると、内部の様子を視認することができない場合がある（例えば、特許文献１）。
【０００３】
内部の様子を視認することができないゴミ箱であると、例えば、分別が正しくなされない等の不都合が生じてしまうおそれがある。
【先行技術文献】
【特許文献】
【０００４】
【特許文献１】特開２００７−１３７５９４号公報
【発明の概要】
【発明が解決しようとする課題】
【０００５】
本発明は、このような実情に鑑み、内部の様子を離れた位置からでも視認することのできるゴミ箱を提供することを目的とする。
【課題を解決するための手段】
【０００６】
上記目的を達成するため、
本発明のゴミ箱は、
底面部と、
前記底面部から立ち上げられた背面部と、
前記底面部から立ち上げられ、上下方向に延びる一辺が前記背面部に接続され、上下方向に延びる他の一辺が自由端辺とされている一方の側面部および他方の側面部と、を少なくとも備え、
前記一方の側面部の自由端辺と、前記他方の側面部の自由端辺との間に、上下方向の開口部が形成されていることを特徴とする。
このような構成のゴミ箱であれば、収容状況や、ゴミの種類などを離れた位置からでも視認することができる。
【０００７】
ここで、本発明のゴミ箱は、
前記一方の側面部に一方の延出部が具備され、前記他方の側面部に他方の延出部が具備され、かつ、前記一方の延出部に一方の延出部スリットが形成され、前記他方の延出部に他方の延出部スリットが形成され、
前記一方の延出部スリットと、前記他方の延出部スリットとが、互いに差し込まれることにより、前記一方の側面部と前記他方の側面部との組み立て位置が固定されていてもよい。
【０００８】
また、本発明のゴミ箱は、
前記一方の側面部に一方の延出部が具備され、前記他方の側面部に他方の延出部が具備され、かつ、前記底面部に、一方の底面部スリットと他方の底面部スリットが形成され、
前記一方の延出部が前記一方の底面部スリットに差し込まれるとともに、前記他方の延出部が、前記他方の底面部スリットに差し込まれることにより、前記一方の側面部と前記他方の側面部との組み立て位置が固定されていてもよい。
【０００９】
さらに、本発明のゴミ箱は、
前記一方の側面部に一方の延出部が具備され、前記他方の側面部に他方の延出部が具備され、かつ、前記一方の延出部に一方の延出部スリットが形成され、前記他方の延出部に他方の延出部スリットが形成され、
さらに、前記底面部に、一方の底面部スリットと他方の底面部スリットが形成され、
前記一方の延出部スリットが前記一方の底面部スリットに差し込まれて前記一方の側面部の組み立て位置が固定されているとともに、前記他方の延出部スリットが前記他方の底面部スリットに差し込まれて前記他方の側面部の組み立て位置が固定されていてもよい。
上記のように、側面部に延出部が具備されていれば、ゴミ箱が変形自在なシート状物から形成されている場合に、ゴミ箱の自立性を確保することができる。
【００１０】
また本発明のゴミ箱は、段ボール箱から構成されていてもよい。
このように、段ボール箱からゴミ箱が構成される場合には、例えば、プラスチック製のゴミ袋を梱包してきた梱包容器（段ボール箱）を、そのままゴミ箱として利用することができ、梱包容器（段ボール箱）がゴミとならず、資源を有効に活用することができる。特に避難所やイベント会場などでの使用に好適である。
【発明の効果】
【００１１】
本発明のゴミ箱によれば、内部の収容状況、ゴミの種類などを離れた位置から視認することができる。
【００１２】
また、本発明のゴミ箱は、展開すれば、梱包容器としても機能させることができる。
さらには、本発明のゴミ箱は、段ボール箱から構成することができるので、例えば、プラスチック製のゴミ袋などを搬送してきた梱包容器がゴミとならず、再利用することができ、資源を有効に活用することができる。
【図面の簡単な説明】
【００１３】
【図１】図１は、本発明の一実施例に係るゴミ箱を示した斜視図である。
【図２】図２は、図１に示した一実施例のゴミ箱に、ゴミ袋を装着した状態を示した斜視図である。
【図３】図３は、側面部の組み立て位置を固定するための延出部を具備させた実施例を示したもので、図３（Ａ）は要部展開図、図３（Ｂ）は図３（Ａ）の組み立て途中を示す斜視図である。
【図４】図４は、側面部の組み立て位置を固定するための延出部を具備させた実施例の他の例を示したもので、図４（Ａ）は要部展開図、図４（Ｂ）は図４（Ａ）の組み立て途中を示す斜視図である。
【図５】図５は、側面部の組み立て位置を固定するための延出部を具備させた実施例の他の例を示したもので、図５（Ａ）は要部展開図、図５（Ｂ）は図５（Ａ）の組み立て途中を示す斜視図である。
【図６】図６は、側面部の組み立て位置を固定するための延出部を具備させた実施例の他の例を示したもので、図６（Ａ）は要部展開図、図６（Ｂ）は図６（Ａ）の組み立て途中を示す斜視図である。
【図７】図７は、側面部の組み立て位置を固定するための延出部を具備させた実施例の他の例を示したもので、図７（Ａ）は要部展開図、図７（Ｂ）は図７（Ａ）の組み立て途中を示す斜視図である。
【図８】図８は、側面部の組み立て位置を固定するための延出部を具備させた実施例の他の例を示したもので、図８（Ａ）は要部展開図、図８（Ｂ）は図８（Ａ）の組み立て途中を示す斜視図である。
【図９】図９は、段ボール箱の一例を示した斜視図である。
【図１０】図１０は、図９に示した段ボール箱の展開図である。
【図１１】図１１は、図９および図１０に示した段ボール箱からゴミ箱を形成する実施例の組み立て途中を示す斜視図である。
【図１２】図１２は、図９および図１０に示した段ボール箱で作ったゴミ箱に、ゴミ袋を装着した状態を示した斜視図である。
【発明を実施するための形態】
【００１４】
以下、本発明のゴミ箱の好ましい実施の形態（実施例）について説明する。
図１は、本発明の一実施例に係るゴミ箱を示したものである。
なお、本明細書では、上下を規定する場合は、原則的に図１の視野で規定する。すなわち、床面などに接する底面部２側を「下」とする。また、「後」とは紙面の奥側、すなわち背面部３側であり、「前」とは紙面の手前側すなわち図１を視認する側とする。
【００１５】
本発明のゴミ箱１は、底面部２と、この底面部２から立ち上げられた背面部３と、一方の側面部４と、他方の側面部５とから構成されている。
一方の側面部４は、一方の後方側面部４ａと一方の前方側面部４ｂとから構成され、他方の側面部５は、他方の後方側面部５ａと他方の前方側面部５ｂとから構成されている。
【００１６】
また、一方の後方側面部４ａの一辺は背面部３に接続され、他方の後方側面部５ａの一辺も背面部３に接続されている。
さらに、前方側面部４ｂでは辺ＡＢが自由端辺となっており、前方側面部５ｂでは辺ＣＤが自由端辺となっている。
【００１７】
このように形成されることにより、辺ＡＢと辺ＣＤとの間に、上下方向の開口部６が形成されている。
なお、開口部６の水平方向の幅Ｅは、任意である。また、ゴミ箱１は上方から見て略六角形に形成されているが、これに限定されず、四角形、円形、長楕円形などに形成されていてもよい。要は、前方から見て上下方向に、水平方向の幅Ｅの開口部６が具備されていればよい。
【００１８】
本実施例のゴミ箱１は、どのような材質から形成されていてもよく、例えば、紙、プラスチック、鋼材などから形成されている。
このようなゴミ箱１であれば、ゴミ箱１の前方から、開口部６を介して内部の様子を視認することができる。なお、実際の使用の際には、図２に示したように、箱状のゴミ箱１内に、内袋として、いわゆるゴミ袋３０を装着し、その口部を折り返して使用することが好ましい。このように本発明のゴミ箱１によれば、内部のゴミの収容状況やゴミの種類などを、離れた位置からであっても視認することができ、収容されたゴミの処分を確実に行うことができる。
【００１９】
以上、本発明の一実施例について説明したが、本発明はこれに限定されない。
例えば、図１に示したゴミ箱１を変形自在なシート状物から形成した場合には、ゴミ箱１の自立性を確保する必要が生じる。
【００２０】
このようにゴミ箱１の自立性を確保する必要がある場合には、例えば、図３（Ａ）、（Ｂ）に示した実施例のように、一方の後方側面部４ａと、他方の後方側面部５ａに、それぞれ一方の延出部１１と、他方の延出部１２を具備させることが好ましい。なお、図３（Ａ）、（Ｂ）において一方の延出部１１と他方の延出部１２の延出方向の長さは、底面部２の同方向の長さより長く設定されている。このような延出部１１、１２を設け、さらに延出部１１に一方の延出部スリット１１ａを設け、延出部１２に他方の延出部スリット１２ａを設け、一方の延出部スリット１１ａを、他方の延出部スリット１２ａに差し込めば、側面部４、５の組み立て位置を固定することができる。このように形成すれば、ゴミ箱１の自立性を確保することができる。
【００２１】
なお、図３（Ａ）、（Ｂ）に示した実施例では、底面部２が延出部１１、１２の上に乗るよう配置されているが、これに代え、底面部２が延出部１１、１２の下に来るよう配置してもよい。
【００２２】
また、ゴミ箱１の自立性を確保するために、一方の側面部４と他方の側面部５に形成する延出部スリット１１ａ、１２ａの形成位置は、特に限定されない。例えば、図３（Ａ）、（Ｂ）では、延出部スリット１１ａと延出部スリット１２ａとを、それぞれ底面部２に対向しない側（外側）に形成しているが、これに代え、図４（Ａ）、（Ｂ）に示したように、底面部２に対向する側（内側）に形成してもよい。
【００２３】
また、図５（Ａ）、（Ｂ）に示したように、一方の延出部１１の延出部スリット１１ａを底面部２に対向しない側（外側）に、他方の延出部１２の延出部スリット１２ａを底面部２に対向する側（内側）に形成してもよい。もちろん、一方の延出部１１の延出部スリット１１ａを底面部２に対向する側（内側）に、他方の延出部１２の延出部スリット１２ａを底面部２に対向しない側（外側）に形成してもよい。
【００２４】
さらに、図３〜図５の例では、延出部スリット１１ａ、１２ａがそれぞれＩ字状に形成されているが、延出部スリット１１ａ、１２ａの形状はＩ字状に限定されない。例えば、図６（Ａ）、（Ｂ）に示したように、一方の延出部１１と他方の延出部１２に、それぞれ略Ｌ字状の延出部スリット１１ａ、１２ａを形成してもよい。
【００２５】
このような場合には、一方の延出部スリット１１ａと他方の延出部スリット１２ａとを、図６（Ｂ）に示したように、それぞれ底面部２の両端部に差し込んで、一方の側面部４と他方の側面部５の組み立て位置を固定すればよい。
【００２６】
また、一方の延出部１１と他方の延出部１２の形状は、延出方向に向かって長方形状であることに何ら限定されない。例えば、図７（Ａ）、（Ｂ）に示したように、略台形状であってもよい。
【００２７】
一方の延出部１１と他方の延出部１２が、先端側が切除された略台形状である場合には、底面部２に斜め方向に一方の底面部スリット２ａと、他方の底面部スリット２ｂを設ければよい。
【００２８】
そして、このような場合は、一方の延出部１１を一方の底面部スリット２ａに差し込むとともに、他方の延出部１２を他方の底面部スリット２ｂに差し込めば、一方の側面部４と他方の側面部５との組み立て位置を固定することができる。
【００２９】
また、図８（Ａ）、（Ｂ）に示したように、一方の延出部スリット１１ａと他方の延出部スリット１２ａに連続するように、底面部２に一方の底面部スリット２ａと他方の底面部スリット２ｂとを設けてもよい。
【００３０】
このような場合には、一方の延出部スリット１１ａを一方の底面部スリット２ａに差し込んで、一方の側面部４の組み立て位置を固定するとともに、他方の延出部スリット１２ａを他方の底面部スリット２ｂに差し込めば、他方の側面部５の組み立て位置を固定することができる。
【００３１】
以上説明したように、本発明では、一方の側面部４と他方の側面部５との組み立て位置を固定し、自立させるための態様として様々な態様が可能であり、上述した例に何ら限定されない。
【００３２】
例えば、延出部１１、１２の延出方向の長さや底面部２の延出方向の長さは、特に限定されるものではなく、上記したような実施の形態に応じて適宜設定すれば良いものである。
【００３３】
さらに、本発明のゴミ箱１の底面部２を含む下面側の構造は、物品を梱包あるいは運搬する梱包容器の構造と類似している。例えば、段ボール箱の構造に類似している。よってゴミ箱１が変形自在なシート状物から形成されている場合には、そのゴミ箱１を梱包容器として使用することも可能である。
【００３４】
換言すれば、例えば、図９、図１０に示した段ボール箱５０から、図１のゴミ箱１を形成することも可能である。
すなわち、段ボール箱５０では、図１に示したゴミ箱１の背面部３と、底面部２と、一方の側面部４（後方側面部４ａと前方側面部４ｂとからなる）と、他方の側面部５（後方側面部５ａと前方側面部５ｂとからなる）とを有している。さらに、図３〜図８などに示した一方の延出部１１と他方の延出部１２とを有する構造である。
【００３５】
したがって、図１１に示したように、段ボール箱５０の一方の側面部４を構成する後方側面部４ａと前方側面部４ｂとを上面視において、くの字状に配置し、さらに、他方の側面部５を構成する後方側面部５ａと前方側面部５ｂとを上面視において、くの字状に配置し、これにより、前方側面部４ｂと前方側面部５ｂとの間に、上下方向の開口部６を確保すれば、図１のようなゴミ箱１を構成することができる。
【００３６】
なお、段ボール箱５０からゴミ箱１を形成する場合は、図１１に示したように天面側の舌片１１０、１２０、２００を、それぞれ内側、または外側に折り返せばよい。
図１２に示したように、段ボール箱５０からゴミ箱１を形成する場合も、図２の場合と同様に、内袋としてゴミ袋３０を用いれば、収容されたゴミの処分を確実に行うことができる。
【００３７】
また、プラスチック製のゴミ袋３０が段ボール箱５０のような梱包容器で出荷された場合には、届け先においてはその段ボール箱５０をゴミ箱１として利用可能になるため、梱包容器がゴミとならず、資源を有効に活用することができる。
【符号の説明】
【００３８】
１      ゴミ箱
２      底面部
２ａ    一方の底面部スリット
２ｂ    他方の底面部スリット
３      背面部
４      一方の側面部
４ａ    一方の後方側面部
４ｂ    一方の前方側面部
５      他方の側面部
５ａ    他方の後方側面部
５ｂ    他方の前方側面部
６      開口部
１１      一方の延出部
１１ａ    一方の延出部スリット
１２      他方の延出部
１２ａ    他方の延出部スリット
１１０      舌片
１２０      舌片
２００      舌片
【図１】
2018104122.tif 000003
【図２】
2018104122.tif 000004
【図３】
2018104122.tif 000005
【図４】
2018104122.tif 000006
【図５】
2018104122.tif 000007
【図６】
2018104122.tif 000008
【図７】
2018104122.tif 000009
【図８】
2018104122.tif 000010
【図９】
2018104122.tif 000011
【図１０】
2018104122.tif 000012
【図１１】
2018104122.tif 000013
【図１２】
2018104122.tif 000014